(57)【要約】【課題】電子新聞紙面に記載された単語に関する関連情報を自動的に取得することにより、オペレータに依存せず、一定の精度で関連情報を収集する。【解決手段】本発明の電子新聞システム１２は、電子新聞の紙面のテキスト部分から、関連付けテーブル記憶装置５１に格納された関連付けテーブルに含まれる単語を抽出する抽出部５５と、この単語の、紙面における配置領域の座標値を算出する算出部５６と、この単語に関連付けられている実体データの格納場所を、関連付けテーブルから把握する把握部５７と、この格納場所に従って、単語に関連付けられている実体データを実体データ記憶装置５４から取得し、実体データファイル６２に書き込む取得部５８と、抽出された単語と、算出された座標値と、把握された実体データの実体データファイルにおける格納場所とを関連付けた情報管理データ６３を作成する作成部５９とを備える。【選択図】      図１
2007299026.tif 000002
【特許請求の範囲】
【請求項１】
通信ネットワークを通じて配信可能な電子新聞を作成する電子新聞システムであって、
予め選択された単語に関連付けられたテキスト情報である実体データ、画像情報である実体データ、動画情報である実体データ、又は音声情報である実体データを格納する第１の実体データ記憶装置と、
前記単語と、この単語に関連付けられた実体データの前記第１の実体データ記憶装置における格納場所とが関連付けられた関連付けテーブルが格納された関連付けテーブル記憶装置と、
電子新聞の紙面を構成する電子紙面データに含まれるテキスト部分から、前記関連付けテーブルに含まれる単語を抽出する単語抽出手段と、
前記単語抽出手段によって抽出された単語の前記紙面における配置領域の座標値を、前記電子紙面データから算出する座標値算出手段と、
前記関連付けテーブル記憶装置に格納されている関連付けテーブルを読み出し、前記単語抽出手段によって抽出された単語について関連付けられている実体データの格納場所を、前記読み出した関連付けテーブルから把握する格納場所把握手段と、
前記格納場所把握手段によって把握された格納場所に従って、前記単語について関連付けられている実体データを前記第１の実体データ記憶装置から取得し、取得した実体データを第２の実体データ記憶装置に書き込む実体データ取得手段と、
前記単語抽出手段によって抽出された単語と、前記座標値算出手段によって算出されたこの単語の座標値と、前記格納場所把握手段によって把握されたこの単語に関連付けられている実体データの、前記第２の実体データ記憶装置における格納場所とを関連付けた関連付けデータを作成する関連付けデータ作成手段と
を備えた電子新聞システム。
【請求項２】
請求項１に記載の電子新聞システムにおいて、
前記実体データ取得手段は、前記取得した実体データがテキスト情報である場合、このテキスト情報のイメージ情報を作成し、前記取得した実体データの代わりに、前記作成したイメージ情報を前記第２の実体データ記憶装置に書き込む電子新聞システム。
【請求項３】
請求項１又は請求項２に記載の電子新聞システムにおいて、
ディスプレイと、
操作入力を受け付けるポインティングデバイスと、
前記ディスプレイから前記電子新聞を表示させるとともに、前記ポインティングデバイスになされた操作入力に応じて、前記ディスプレイから、カーソルを移動させながら表示させる表示制御手段と、
前記抽出された単語の前記紙面における配置領域内に、前記カーソルが移動したか否かを、前記関連付けデータに基づいて判定する判定手段とを備え、
前記判定手段によって、前記配置領域内に前記カーソルが移動したと判定された場合には、前記表示制御手段は、前記関連付けデータから、前記配置領域に配置された単語に関連付けられた実体データの格納場所を把握し、前記把握した格納場所から前記実体データを取り出し、この実体データを前記ディスプレイから表示させる電子新聞システム。
【請求項４】
前記単語が人物名である場合、この単語に関連付けられたテキスト情報はこの人物の個人経歴を含み、この単語に関連付けられた画像情報はこの人物の顔写真を含む請求項１乃至３のうち何れか１項に記載の電子新聞システム。
【請求項５】
前記単語が法人名である場合、この単語に関連付けられたテキスト情報はこの法人の概要情報を含む請求項１乃至３のうち何れか１項に記載の電子新聞システム。
【請求項６】
前記単語がスポーツ選手名である場合、この単語に関連付けられたテキスト情報はこのスポーツ選手の個人経歴及び個人記録を含み、この単語に関連付けられた画像情報はこのスポーツ選手が掲載されたスポーツ写真を含む請求項１乃至３のうち何れか１項に記載の電子新聞システム。
【請求項７】
前記単語がスポーツチーム名である場合、この単語に関連付けられたテキスト情報はこのスポーツチームのチーム概要、試合成績、試合日程、優勝記録、及び選手情報を含み、この単語に関連付けられた画像情報はこのスポーツチームに関連するスポーツ写真を含む請求項１乃至３のうち何れか１項に記載の電子新聞システム。
【請求項８】
前記単語が政党名である場合、この単語に関連付けられたテキスト情報はこの政党の政党情報及び議員情報を含む請求項１乃至３のうち何れか１項に記載の電子新聞システム。
【請求項９】
前記単語が地名である場合、この単語に関連付けられたテキスト情報はこの地名を含む地域情報を含み、この単語に関連付けられた画像情報はこの地域の地図を含む請求項１乃至３のうち何れか１項に記載の電子新聞システム。
【請求項１０】
前記単語が都道府県市町村名である場合、この単語に関連付けられたテキスト情報は対応する都道府県市町村の行政情報を含み、この単語に関連付けられた画像情報はこの都道府県市町村の地図又はマークを含む請求項１乃至３のうち何れか１項に記載の電子新聞システム。
【請求項１１】
前記単語が略名である場合、この単語に関連付けられたテキスト情報はこの略号の正式名称又は解説文を含む請求項１乃至３のうち何れか１項に記載の電子新聞システム。
【請求項１２】
前記単語が専門用語である場合、この単語に関連付けられたテキスト情報はこの専門用語の解説文を含む請求項１乃至３のうち何れか１項に記載の電子新聞システム。
【請求項１３】
前記単語が事故名である場合、この単語に関連付けられたテキスト情報はこの事故の事故記録を含み、この単語に関連付けられた画像情報はこの事故の関連写真を含む請求項１乃至３のうち何れか１項に記載の電子新聞システム。
【請求項１４】
前記単語が事件名である場合、この単語に関連付けられたテキスト情報はこの事件の事件概要又は事件記録を含む請求項１乃至３のうち何れか１項に記載の電子新聞システム。
【請求項１５】
前記単語がイベント名である場合、この単語に関連付けられたテキスト情報はこのイベントのイベント内容を含む請求項１乃至３のうち何れか１項に記載の電子新聞システム。
【請求項１６】
通信ネットワークを通じて配信可能な電子新聞を作成する電子新聞システムに適用されるプログラムであって、
前記電子新聞システムは、
予め選択された単語に関連付けられたテキスト情報である実体データ、画像情報である実体データ、動画情報である実体データ、又は音声情報である実体データを格納する第１の実体データ記憶装置と、
前記単語と、この単語に関連付けられた実体データの前記第１の実体データ記憶装置における格納場所とが関連付けられた関連付けテーブルが格納された関連付けテーブル記憶装置と、
第２の実体データ記憶装置とを備えており、
前記プログラムは、
電子新聞の紙面を構成する電子紙面データに含まれるテキスト部分から、前記関連付けテーブルに含まれる単語を抽出する機能、
この機能によって抽出された単語の前記紙面における配置領域の座標値を、前記電子紙面データから算出する機能、
前記関連付けテーブル記憶装置に格納されている関連付けテーブルを読み出し、前記抽出された単語について関連付けられている実体データの格納場所を、前記読み出した関連付けテーブルから把握する機能、
この機能によって把握された格納場所から、前記単語について関連付けられている実体データを取得し、取得した実体データを前記第２の実体データ記憶装置に書き込む機能、
前記抽出された単語と、前記算出されたこの単語の座標値と、前記把握されたこの単語に関連付けられている実体データの、前記第２の実体データ記憶装置における格納場所とを関連付けた関連付けデータを作成する機能
をコンピュータに実現させるためのプログラム。
【請求項１７】
請求項１６に記載のプログラムにおいて、
前記取得された実体データがテキスト情報である場合、このテキスト情報のイメージ情報を作成し、前記取得された実体データの代わりに、前記作成したイメージ情報を前記第２の実体データ記憶装置に書き込む機能を更にコンピュータに実現させるためのプログラム。
【請求項１８】
請求項１６又は請求項１７に記載のプログラムにおいて、
前記電子新聞システムは、ディスプレイと、操作入力を受け付けるポインティングデバイスとを更に備え、
前記プログラムは、
前記ディスプレイから前記電子新聞を表示させるとともに、前記ポインティングデバイスになされた操作入力に応じて、前記ディスプレイから、カーソルを移動させながら表示させる機能、
前記抽出された単語の前記紙面における配置領域内に、前記カーソルが移動したか否かを、前記関連付けデータに基づいて判定する機能、
この機能によって、前記配置領域内に前記カーソルが移動したと判定された場合には、前記関連付けデータから、前記配置領域に配置された単語に関連付けられた実体データの格納場所を把握し、前記把握した格納場所から前記実体データを取り出し、この実体データを前記ディスプレイから表示させる機能
を更にコンピュータに実現させるためのプログラム。
【発明の詳細な説明】
【技術分野】
【０００１】
本発明は、例えばインターネット等の通信ネットワークを介して参照される電子新聞紙面の作成、加工、検索、及び閲覧等を行う電子新聞システムに係り、特に、電子新聞紙面に記載された単語に関連する情報を自動的に取得する機能を備えた電子新聞システム及びプログラムに関する。
【背景技術】
【０００２】
例えば特許文献１等で開示されているように、新聞に掲載されている情報を、インターネット等の通信ネットワークを介して電子的に読者に配信する電子新聞に関する技術がある。
【０００３】
この種の電子新聞によれば、紙媒体による新聞とは異なり、印刷や配達の必要がなくなるので、紙媒体による新聞に比べてコストを削減することが可能となる。また、任意のタイミングで内容を更新することができるために、朝刊や夕刊のように、決められた時間に限定されることなく、最新の情報をほぼリアルタイムで読者に提供することが可能となる。
【０００４】
更には、記事や写真に対する関連情報にリンクさせたりすることによって、紙媒体の新聞では実現できないような多種多様な方法で情報を提供することができる。
【０００５】
例えば、特許文献２のように、特定地域情報を新聞情報にあわせて配信することや、特許文献３のように、読者が既に読んだ記事を自動的に検索して表示することにより読者の嗜好をフィルタすることや、特許文献４のように、読者が希望する種別の記事のみを配信することや、特許文献５のように、読者毎の嗜好の変化に応じて記事を編集して配信することが可能となる。
【特許文献１】特開２００１−２２２５４２号公報
【特許文献２】特開２００３−１０８８７２号公報
【特許文献３】特開平１１−３０５６２１号公報
【特許文献４】特開２００５−２２２５４２号公報
【特許文献５】特開２００４−２４０６８６号公報
【発明の開示】
【発明が解決しようとする課題】
【０００６】
しかしながら、このような従来の電子新聞では、以下のような問題がある。
【０００７】
すなわち、上述したような関連情報の収集や、この関連情報へのリンクの設定は、オペレータによるマニュアル作業によってなされている。
【０００８】
しかしながら、オペレータは、電子新聞の紙面に掲載された単語に関する様々な関連情報を収集するために、様々なデータベースにアクセスしなければならず、膨大な手間を要している。しかも、記事の内容が頻繁に更新されうる電子新聞という性質上、オペレータは、記事が更新される毎に、上述したような関連情報の収集を行わねばならず、オペレータの負担が極めて大きく非効率的であるのみならず、マニュアル作業であるがゆえに、収集する関連情報が不十分であったり、誤った又は必ずしも適切ではない情報を収集する恐れもあり、収集される関連情報の精度が、オペレータによってばらつく可能性もあるという問題がある。
【０００９】
本発明はこのような事情に鑑みてなされたものであり、電子新聞紙面に記載された単語に関する関連情報を自動的に取得することによって、オペレータの負担を低減するのみならず、オペレータに依存せず、一定の精度で関連情報を収集することを可能にする電子新聞システム及びプログラムを提供することを目的とする。
【課題を解決するための手段】
【００１０】
上記の目的を達成するために、本発明では、以下のような手段を講じる。
【００１１】
すなわち、請求項１の発明は、通信ネットワークを通じて配信可能な電子新聞を作成する電子新聞システムであって、第１及び第２の実体データ記憶装置と、関連付けテーブル記憶装置と、単語抽出手段と、座標値算出手段と、格納場所把握手段と、実体データ取得手段と、関連付けデータ作成手段とを備えている。
【００１２】
第１の実体データ記憶装置は、予め選択された単語に関連付けられたテキスト情報そのものである実体データ、画像情報そのものである実体データ、動画情報そのものである実体データ、又は音声情報そのものである実体データを格納する。関連付けテーブル記憶装置は、単語と、この単語に関連付けられた実体データの第１の実体データ記憶装置における格納場所とが関連付けられた関連付けテーブルが格納している。単語抽出手段は、電子新聞の紙面を構成する電子紙面データに含まれるテキスト部分から、関連付けテーブルに含まれる単語を抽出する。座標値算出手段は、単語抽出手段によって抽出された単語の紙面における配置領域の座標値を、電子紙面データから算出する。格納場所把握手段は、関連付けテーブル記憶装置に格納されている関連付けテーブルを読み出し、単語抽出手段によって抽出された単語について関連付けられている実体データの格納場所を、読み出した関連付けテーブルから把握する。実体データ取得手段は、格納場所把握手段によって把握された格納場所に従って、単語について関連付けられている実体データを第１の実体データ記憶装置から取得し、取得した実体データを第２の実体データ記憶装置に書き込む。関連付けデータ作成手段は、単語抽出手段によって抽出された単語と、座標値算出手段によって算出されたこの単語の座標値と、格納場所把握手段によって把握されたこの単語に関連付けられている実体データの、第２の実体データ記憶装置における格納場所とを関連付けた関連付けデータを作成する。
【００１３】
請求項２の発明は、請求項１の発明の電子新聞システムにおいて、実体データ取得手段は、取得した実体データがテキスト情報である場合、このテキスト情報のイメージ情報を作成し、取得した実体データの代わりに、作成したイメージ情報を第２の実体データ記憶装置に書き込む。
【００１４】
請求項３の発明は、請求項１又は請求項２の発明の電子新聞システムにおいて、ディスプレイと、操作入力を受け付けるポインティングデバイスと、ディスプレイから電子新聞を表示させるとともに、ポインティングデバイスになされた操作入力に応じて、ディスプレイから、カーソルを移動させながら表示させる表示制御手段と、抽出された単語の紙面における配置領域内に、カーソルが移動したか否かを、関連付けデータに基づいて判定する判定手段とを備えている。そして、判定手段によって、配置領域内にカーソルが移動したと判定された場合には、表示制御手段は、関連付けデータから、配置領域に配置された単語に関連付けられた実体データの格納場所を把握し、把握した格納場所から実体データを取り出し、この実体データをディスプレイから表示させる。
【００１５】
請求項４の発明は、請求項１乃至３のうち何れか１項の発明の電子新聞システムにおいて、単語が人物名である場合、この単語に関連付けられたテキスト情報はこの人物の個人経歴を含み、この単語に関連付けられた画像情報はこの人物の顔写真を含む。
【００１６】
請求項５の発明は、請求項１乃至３のうち何れか１項の発明の電子新聞システムにおいて、単語が法人名である場合、この単語に関連付けられたテキスト情報はこの法人の概要情報を含む。
【００１７】
請求項６の発明は、請求項１乃至３のうち何れか１項の発明の電子新聞システムにおいて、単語がスポーツ選手名である場合、この単語に関連付けられたテキスト情報はこのスポーツ選手の個人経歴及び個人記録を含み、この単語に関連付けられた画像情報はこのスポーツ選手が掲載されたスポーツ写真を含む。
【００１８】
請求項７の発明は、請求項１乃至３のうち何れか１項の発明の電子新聞システムにおいて、単語がスポーツチーム名である場合、この単語に関連付けられたテキスト情報はこのスポーツチームのチーム概要、試合成績、試合日程、優勝記録、及び選手情報を含み、この単語に関連付けられた画像情報はこのスポーツチームに関連するスポーツ写真を含む。
【００１９】
請求項８の発明は、請求項１乃至３のうち何れか１項の発明の電子新聞システムにおいて、単語が政党名である場合、この単語に関連付けられたテキスト情報はこの政党の政党情報及び議員情報を含む。
【００２０】
請求項９の発明は、請求項１乃至３のうち何れか１項の発明の電子新聞システムにおいて、単語が地名である場合、この単語に関連付けられたテキスト情報はこの地名を含む地域情報を含み、この単語に関連付けられた画像情報はこの地域の地図を含む。
【００２１】
請求項１０の発明は、請求項１乃至３のうち何れか１項の発明の電子新聞システムにおいて、単語が都道府県市町村名である場合、この単語に関連付けられたテキスト情報は対応する都道府県市町村の行政情報を含み、この単語に関連付けられた画像情報はこの都道府県市町村の地図又はマークを含む。
【００２２】
請求項１１の発明は、請求項１乃至３のうち何れか１項の発明の電子新聞システムにおいて、単語が略名である場合、この単語に関連付けられたテキスト情報はこの略号の正式名称又は解説文を含む。
【００２３】
請求項１２の発明は、請求項１乃至３のうち何れか１項の発明の電子新聞システムにおいて、単語が専門用語である場合、この単語に関連付けられたテキスト情報はこの専門用語の解説文を含む。
【００２４】
請求項１３の発明は、請求項１乃至３のうち何れか１項の発明の電子新聞システムにおいて、単語が事故名である場合、この単語に関連付けられたテキスト情報はこの事故の事故記録を含み、この単語に関連付けられた画像情報はこの事故の関連写真を含む。
【００２５】
請求項１４の発明は、請求項１乃至３のうち何れか１項の発明の電子新聞システムにおいて、単語が事件名である場合、この単語に関連付けられたテキスト情報はこの事件の事件概要又は事件記録を含む。
【００２６】
請求項１５の発明は、請求項１乃至３のうち何れか１項の発明の電子新聞システムにおいて、単語がイベント名である場合、この単語に関連付けられたテキスト情報はこのイベントのイベント内容を含む。
【００２７】
請求項１６の発明は、通信ネットワークを通じて配信可能な電子新聞を作成する電子新聞システムに適用されるプログラムである。ここで、電子新聞システムは、予め選択された単語に関連付けられたテキスト情報そのものである実体データ、画像情報そのものである実体データ、動画情報そのものである実体データ、又は音声情報そのものである実体データを格納する第１の実体データ記憶装置と、単語と、この単語に関連付けられた実体データの第１の実体データ記憶装置における格納場所とが関連付けられた関連付けテーブルが格納された関連付けテーブル記憶装置と、第２の実体データ記憶装置とを備えている。そして、このプログラムは、電子新聞の紙面を構成する電子紙面データに含まれるテキスト部分から、関連付けテーブルに含まれる単語を抽出する機能；この機能によって抽出された単語の紙面における配置領域の座標値を、電子紙面データから算出する機能；関連付けテーブル記憶装置に格納されている関連付けテーブルを読み出し、抽出された単語について関連付けられている実体データの格納場所を、読み出した関連付けテーブルから把握する機能；この機能によって把握された格納場所から、単語について関連付けられている実体データを取得し、取得した実体データを第２の実体データ記憶装置に書き込む機能；及び抽出された単語と、算出されたこの単語の座標値と、把握されたこの単語に関連付けられている実体データの、第２の実体データ記憶装置における格納場所とを関連付けた関連付けデータを作成する機能をコンピュータに実現させる。
【００２８】
請求項１７の発明は、請求項１６の発明のプログラムにおいて、取得された実体データがテキスト情報である場合、このテキスト情報のイメージ情報を作成し、取得された実体データの代わりに、作成したイメージ情報を第２の実体データ記憶装置に書き込む機能を更にコンピュータに実現させるためのプログラムである。
【００２９】
請求項１８の発明は、請求項１６又は請求項１７の発明のプログラムにおいて、電子新聞システムは、ディスプレイと、操作入力を受け付けるポインティングデバイスとを更に備えている。そして、プログラムは、ディスプレイから電子新聞を表示させるとともに、ポインティングデバイスになされた操作入力に応じて、ディスプレイから、カーソルを移動させながら表示させる機能；抽出された単語の紙面における配置領域内に、カーソルが移動したか否かを、関連付けデータに基づいて判定する機能；この機能によって、配置領域内にカーソルが移動したと判定された場合には、関連付けデータから、配置領域に配置された単語に関連付けられた実体データの格納場所を把握し、把握した格納場所から実体データを取り出し、この実体データをディスプレイから表示させる機能を更にコンピュータに実現させるためのプログラムである。
【００３０】
従って、上述したような本発明の電子新聞システムにおいては、以上のような手段を講じることにより、電子紙面データから単語を抽出し、抽出した単語の関連情報の実体データを取得して第２の実体データ記憶装置に格納するとともに、第２の実体データ記憶装置に格納された実体データの格納場所と、対応する単語とを関連付けた関連付けデータを作成することができる。
【００３１】
このように、電子新聞の紙面に記載された単語に関する関連情報を自動的に取得することができる。その結果、オペレータの負担を低減するのみならず、オペレータに依存せず、一定の精度で関連情報を収集することが可能となる。
【００３２】
特に、請求項２及び請求項１７の発明によれば、関連情報をテキストではなく、イメージとして格納することができるので、取り扱いを簡素化することができる。
【００３３】
更に、請求項３及び請求項１８の発明によれば、取得した関連情報の内容を、オペレータが、容易に確認することができる。
【発明の効果】
【００３４】
本発明によれば、電子新聞紙面に記載された単語に関する関連情報を自動的に取得することができる。これによって、オペレータの負担を低減するのみならず、オペレータに依存せず、一定の精度で関連情報を収集することが可能な電子新聞システム及びプログラムを実現することができる。
【発明を実施するための最良の形態】
【００３５】
以下に、本発明を実施するための最良の形態について図面を参照しながら説明する。
【００３６】
（第１の実施の形態）
本発明の第１の実施の形態に係る電子新聞システムについて説明する。
【００３７】
図１は、一般的な新聞制作システムに接続された第１の実施の形態に係る電子新聞システムの構成例を示す機能ブロック図である。
【００３８】
まず、一般的な新聞制作システムの構成について説明する。
【００３９】
この種の新聞制作システム３０は、通常は新聞社に設置され、素材受信端末３１と、記者端末３２と、素材管理サーバ３３と、素材データ記憶装置３４と、素材編集端末３５と、組版編集サーバ３６と、紙面データ記憶装置３７と、組版端末３８と、出力サーバ３９と、プリンタ／プロッタ４０とを備えている。
【００４０】
素材受信端末３１は、通信社や友好社などから送られてくる記事や画像などの素材を受信し、受信した素材を素材管理サーバ３３に出力する。
【００４１】
記者端末３２は、記者が素材を入力するための端末である。この記者端末３２は、ネットワークや電話回線を介して素材管理サーバ３３と接続されており、記者から入力された素材を、素材管理サーバ３３に出力する。
【００４２】
素材管理サーバ３３は、素材受信端末３１から出力された素材や、記者端末３２から出力された素材を保管管理する。更に、素材編集端末３５からの編集要求に基づいて、管理している素材の中から、要求されたものを素材編集端末３５に提供する。また、素材データ記憶装置３４に記憶されている素材が、素材編集端末３５からのオペレータ指示に基づいて組版編集サーバ３６に出力され、組版編集サーバ３６でなされる組版編集に供される。
【００４３】
素材データ記憶装置３４は、素材管理サーバ３３から送られた素材データを格納するために、ハードディスク等のハードウェアからなる記憶装置である。
【００４４】
素材編集端末３５は、記事の校正や画像加工などの素材加工や、紙面掲載候補としての出稿指示などを素材管理サーバ３３に対して行う。
【００４５】
組版編集サーバ３６は、組版端末３８から出力された操作情報に基づいて、紙面データ７１の編集作業を行う。そして、このように組版編集サーバ３６で編集作業がなされた紙面データ７１は、紙面データ記憶装置３７に格納される。また、一旦格納された紙面データ７１が再び組版編集サーバ３６へと読み出され、再び編集作業が行われた後に紙面データ記憶装置３７に格納されることも可能である。更に、組版編集サーバ３６は、本実施の形態に係る電子新聞システム１０に接続されており、紙面データ７１を、Ｗｅｂ閲覧に適した文書形式の電子紙面データ６１に変換した後に、電子新聞システム１０に出力できるようにしている。なお、組版編集サーバ３６は、必ずしも電子新聞システム１０に接続されていなくても良い。この場合、新聞制作システム３０に、図示しないデータ書き込み手段を備え、このデータ書き込み手段を用いて、フロッピー（登録商標）ディスクや光ディスク等の記憶媒体に電子紙面データ６１を記憶する。そして、電子新聞システム１０において、この記憶媒体から電子紙面データ６１を読み出すようにする。
【００４６】
紙面データ記憶装置３７は、組版編集サーバ３６から送られた紙面データ７１を格納するためのハードディスク等のハードウェアからなる記憶装置である。
【００４７】
組版端末３８は、紙面制作担当が紙面のレイアウト作業を行うための端末であり、レイアウトされた紙面データ７１は組版編集サーバ３６を介して紙面データ記憶装置３７に格納される。
【００４８】
出力サーバ３９は、組版端末３８からの大刷／版下出力指示により、組版編集サーバ３６で生成された文字や画像の配置情報をドットデータに展開する。
【００４９】
プリンタ／プロッタ４０は、出力サーバ３９によって展開されたドットデータに基づいて、大刷や版下を出力する。
【００５０】
次に、本実施の形態に係る電子新聞システム１０について説明する。
【００５１】
すなわち、本実施の形態に係る電子新聞システム１０は、通信ネットワークを通じて配信可能な電子新聞を作成するものであって、電子新聞編集サーバ１２と、電子新聞編集端末１４と、電子新聞データ記憶装置１６と、電子新聞閲覧サーバ１８と、電子新聞閲覧端末２０と、閲覧用電子新聞データ記憶装置２２とを備えている。
【００５２】
電子新聞編集サーバ１２は、新聞制作システム３０の組版編集サーバ３６に接続されており、組版編集サーバ３６から、電子紙面データ６１を受け取る。なお、電子新聞編集サーバ１２は、必ずしも組版編集サーバ３６に接続されていなくても良い。この場合、電子紙面データ６１が記憶されたフロッピー（登録商標）ディスクや光ディスク等の記憶媒体を、新聞制作システム３０側から受け取る。そして、図示しないデータ読み出し手段を用いて、この記憶媒体から、電子紙面データ６１を読み出す。
【００５３】
電子新聞編集サーバ１２は、このようにして電子紙面データ６１を取得すると、取得した電子紙面データ６１を、電子新聞データ記憶装置１６に送る。
【００５４】
電子新聞データ記憶装置１６は、ハードディスク等のハードウェアからなり、電子新聞編集サーバ１２から送られた電子紙面データ６１を格納する。
【００５５】
電子新聞編集端末１４は、電子紙面データ６１を編集するための端末である。電子紙面データ６１を編集する場合には、電子新聞編集サーバ１２に対して、編集対象とする電子紙面データ６１を要求する。電子新聞編集サーバ１２は、電子新聞編集端末１４からこの要求を受けると、対応する電子紙面データ６１を電子新聞データ記憶装置１６から取得する。電子新聞編集端末１４は、このようにして電子新聞編集サーバ１２が取得した電子紙面データ６１に対し、電子新聞編集サーバ１２から提供される種々の機能を用いて編集操作を行う。電子新聞編集サーバ１２の機能については、図２を用いて後述する。そして、編集操作が完了すると、編集操作が完了した電子紙面データ６１を、電子新聞編集サーバ１２から電子新聞閲覧サーバ１８に移す。なお、編集が途中の状態のまま一旦編集を中断する場合には、編集途中の電子紙面データ６１を再び電子新聞データ記憶装置１６に書き込む。
【００５６】
電子新聞閲覧サーバ１８は、このようにして編集が完了した電子紙面データ６１を取得すると、取得した電子紙面データ６１を、閲覧用電子新聞データ記憶装置２２に送る。
【００５７】
閲覧用電子新聞データ記憶装置２２は、ハードディスク等のハードウェアからなり、電子新聞閲覧サーバ１８から送られた電子紙面データ６１を格納する。
【００５８】
電子新聞閲覧端末２０は、電子紙面データ６１を閲覧するための端末である。電子紙面データ６１を閲覧する場合には、電子新聞閲覧サーバ１８に対して、閲覧対象とする電子紙面データ６１を要求する。電子新聞閲覧サーバ１８は、電子新聞閲覧端末２０からこの要求を受けると、対応する電子紙面データ６１を閲覧用電子新聞データ記憶装置２２から取得する。電子新聞閲覧端末２０は、このようにして電子新聞閲覧サーバ１８が取得した電子紙面データ６１を、ディスプレイの画面から表示することによって閲覧可能とする。
【００５９】
なお、上記では、紙面データ７１から電子紙面データ６１への変換を、組版編集サーバ３６で行うと記載したが、紙面データ７１から電子紙面データ６１への変換は、組版編集サーバ３６で行う場合に限らず、出力サーバ３９、あるいは電子新聞編集サーバ１２で行うようにしても良い。
【００６０】
図２は、電子新聞編集サーバ１２及び電子新聞データ記憶装置１６の詳細構成例を示す機能ブロック図である。
【００６１】
すなわち、電子新聞編集サーバ１２は、電子紙面データ転送部５０と、関連付けテーブル記憶装置５１と、単語抽出用辞書データベース記憶装置５２と、抽出単語リスト記憶装置５３と、関連情報実体データ記憶装置５４と、単語抽出部５５と、座標値算出部５６と、格納場所把握部５７と、実体データ取得部５８と、関連付けデータ作成部５９とを備えている。
【００６２】
電子紙面データ転送部５０は、組版編集サーバ３６から送られた電子紙面データ６１を受け取り、受け取った電子紙面データ６１を、電子新聞データ記憶装置１６に書き込む。また、電子新聞編集端末１４による編集が可能になるように、電子新聞データ記憶装置１６に格納されている電子紙面データ６１を取得したり、編集された電子紙面データ６１を再び電子新聞データ記憶装置１６に書き込んだり、電子新聞閲覧サーバ１８に送る。
【００６３】
図３は、電子紙面データ６１のデータ構成例を示す図である。電子紙面データ６１は、第１行目、第２行目、・・・第ｐ行目というように、行毎の構成となっている。更に、各行は、第１文字目、２文字目、・・・第ｍ文字目というように、文字毎の構成となっている。そして、各文字は、文字コード６１ｐＭｍ、文字付属情報６１ｐＦｍ、配置位置Ｘ座標６１ｐＸｍ、配置位置Ｙ座標６１ｐＹｍ（第ｐ行目のｍ文字目の場合）からなる各データを持っている。なお、文字付属情報６１ｐＦｍとは、文字サイズ（大きさ）、書体、文字位置回転、白黒反転、文字飾り（文字影、下線、傍点など）の指定条件を示す情報である。
【００６４】
関連付けテーブル記憶装置５１は、ハードディスクやメモリ等のハードウェアからなり、単語と、この単語に関連付けられた実体データの関連情報実体データ記憶装置５４における格納場所とが関連付けられた関連付けテーブル５１０を格納している。なお、実体データとは、本発明の実施の形態に係る電子新聞システムで取扱われるテキスト情報、画像情報、動画情報、音声情報等のデータそのものを称している。
【００６５】
図４は、関連付けテーブル５１０のデータ構成例を示す図である。関連付けテーブル５１０は、第１レコード、第２レコード、・・・第ｋレコードというように、単語のレコード毎の構成となっている。更に、各レコードは、単語識別番号５１ｋＩＤ、単語名５１ｋＴＮ、単語分類５１ｋＢＲ、関連情報ｍの内容５１ｋＲＦｍＣＮ、関連情報ｍの関連情報実体データ格納アドレス５１ｋＲＦ１ＬＮ（第ｋレコードの場合）からなる各データを持っている。
【００６６】
単語抽出用辞書データベース記憶装置５２は、ハードディスクやメモリ等のハードウェアからなり、電子紙面データ６１に含まれるテキスト部分から単語を抽出するための単語抽出用辞書を格納している。
【００６７】
抽出単語リスト記憶装置５３は、ハードディスクやメモリ等のハードウェアからなり、単語抽出部５５によって抽出された単語の単語リスト５３０が格納される。
【００６８】
単語抽出部５５は、単語抽出用辞書データベース記憶装置５２に記憶された単語抽出用辞書を参照することにより、電子紙面データ６１に含まれるテキスト部分から単語を抽出し、抽出した単語を、抽出単語リスト記憶装置５３内の単語リスト５３０に登録する。
【００６９】
図５は、単語リスト５３０のデータ構成例を示す図である。単語リスト５３０は、登録件数５３０Ｎに、第１レコード、第２レコード、・・・第ｒレコードというように、抽出された単語のレコードを加えた構成となっている。更に、各レコードは、単語の文字列５３ｒＳ、単語の先頭文字の行内文字位置５３ｒＰ（第ｒレコードの場合）からなる各データを持っている。
【００７０】
座標値算出部５６は、抽出単語リスト記憶装置５３に格納された単語リスト５３０に含まれる単語の、紙面における配置領域の座標値を、電子紙面データ６１から算出し、算出結果を、単語抽出部５５からの抽出結果とともに格納場所把握部５７に出力する。
【００７１】
格納場所把握部５７は、関連付けテーブル記憶装置５１に格納されている関連付けテーブル５１０を読み出し、単語抽出部５５によって抽出された単語について関連付けられている実体データの格納場所を、関連付けテーブル５１０から把握し、把握結果を、座標値算出部５６からの算出結果及び抽出結果とともに実体データ取得部５８に出力する。
【００７２】
実体データ取得部５８は、格納場所把握部５７によって把握された格納場所に従って、単語について関連付けられている実体データを関連情報実体データ記憶装置５４から取得し、取得した実体データを電子新聞関連情報実体データファイル６２として電子新聞データ記憶装置１６に書き込む。そして、格納場所把握部５７からの把握結果、算出結果、及び抽出結果を関連付けデータ作成部５９に出力する。
【００７３】
図６は、電子新聞関連情報実体データファイル６２のデータ構成例を示す図である。図６に示すように、電子新聞関連情報実体データファイル６２は、電子新聞関連情報実体データ６２ｊ１（関連情報実体データｊ１の場合）を格納している。
【００７４】
関連付けデータ作成部５９は、実体データ取得部５８から出力された把握結果、算出結果、及び抽出結果に基づいて、単語抽出部５５によって抽出された単語と、座標値算出部５６によって算出されたこの単語の座標値と、格納場所把握部５７によって把握されたこの単語に関連付けられている実体データの、電子新聞関連情報実体データファイル６２における格納場所とを関連付けた電子新聞関連情報管理データ６３を作成し、電子新聞データ記憶装置１６に書き込む。
【００７５】
図７は、電子新聞関連情報管理データ６３のデータ構成例を示す図である。電子新聞関連情報管理データ６３は、第１レコード、第２レコード、・・・第ｊレコードというように、単語のレコード毎の構成となっている。更に、各レコードは、単語識別番号６３ｊＩＤ、単語名６３ｊＴＮ、単語分類６３ｊＢＲ、単語領域１の始点座標６３ｊＺＳ１、単語領域１の終点座標６３ｊＺＥ１、関連情報ｍの内容６３ｊＲＪｍＣＮ、関連情報ｍの関連情報実体データ格納アドレス６３ｊＲＦｍＬＫ（第ｊレコードの場合）からなる各データを持っている。
【００７６】
関連情報実体データ記憶装置５４は、単語に関連付けられたテキスト情報、画像情報、動画情報、又は音声情報の実体データを格納している。図８は、実体データを格納した関連情報実体データ記憶装置５４のデータ構成例を示す図である。図８に示すように、関連情報実体データ記憶装置５４は、実体データ５４ｋ１（関連情報実体データｋ１の場合）を格納している。
【００７７】
この実体データは、図９に示すように、単語が人物名である場合、この単語に関連付けられたテキスト情報はこの人物の個人経歴を含み、この単語に関連付けられた画像情報はこの人物の顔写真を含む。また、単語が法人名である場合、この単語に関連付けられたテキスト情報はこの法人概要を含む。単語がスポーツ選手名である場合、この単語に関連付けられたテキスト情報はこのスポーツ選手の個人経歴及び個人記録を含み、この単語に関連付けられた画像情報はこのスポーツ選手が掲載されたスポーツ写真や顔写真を含む。単語がスポーツチーム名である場合、この単語に関連付けられたテキスト情報はこのスポーツチームのチーム概要、試合成績、試合日程、優勝記録、及び選手情報を含み、この単語に関連付けられた画像情報はこのスポーツチームに関連するスポーツ写真を含む。単語が政党名である場合、この単語に関連付けられたテキスト情報はこの政党の政党情報及び議員情報を含む。単語が地名である場合、この単語に関連付けられたテキスト情報はこの地名を含む地域情報を含み、この単語に関連付けられた画像情報はこの地域の地図を含む。単語が都道府県市町村名である場合、この単語に関連付けられたテキスト情報は対応する都道府県市町村の行政情報を含み、この単語に関連付けられた画像情報はこの都道府県市町村の地図又はマークを含む。単語が略名である場合、この単語に関連付けられたテキスト情報はこの略号の正式名称又は解説文を含む。単語が専門用語である場合、この単語に関連付けられたテキスト情報はこの専門用語の正式表現及び解説文を含む。単語が事故名である場合、この単語に関連付けられたテキスト情報はこの事故の事故記録を含み、この単語に関連付けられた画像情報はこの事故の関連写真を含む。単語が事件名である場合、この単語に関連付けられたテキスト情報はこの事件の事件概要又は事件記録を含む。単語がイベント名である場合、この単語に関連付けられたテキスト情報はこのイベントのイベント内容を含む。
【００７８】
以上のように構成された電子新聞システム１０は、例えば磁気ディスク（フロッピー（登録商標）ディスク、ハードディスク等）、光ディスク（ＣＤ−ＲＯＭ、ＤＶＤ等）、半導体メモリ等の記録媒体に記録されたプログラムや、インターネット等の通信ネットワークを介してダウンロードしたプログラムを読み込み、このプログラムによって動作が制御されるコンピュータによって実現される。また、この記録媒体に記録されたプログラムは、コンピュータに実行させるソフトウェア手段（実行プログラムのみならずテーブルやデータ構造も含む）をこのコンピュータ内に構成させる設定プログラムをも含む。このプログラムは、記録媒体から、あるいは通信媒体からコンピュータに読み込まれると、このコンピュータを後述するように動作させる。
【００７９】
次に、以上のように構成した本実施の形態に係る電子新聞システム１０の動作について図１０乃至図１３のフローチャートを用いて説明する。
【００８０】
まず、関連付けデータ作成部５９によって、電子新聞関連情報管理データ６３が初期化される（Ｓ１）。
【００８１】
次に、単語抽出部５５によって、電子紙面データ６１における第１行目のデータが処理対象とされる（Ｓ２）。
【００８２】
そして、単語抽出部５５によって、抽出単語リスト記憶装置５３内の単語リスト５３０が初期化される（Ｓ３）。
【００８３】
更に、単語抽出部５５によって、単語抽出用辞書データベース記憶装置５２に記憶された単語抽出用辞書を参照することにより、処理対象とされたデータから単語が抽出され、抽出された単語が、抽出単語リスト記憶装置５３の単語リスト５３０に登録される（Ｓ４）。そして、単語リスト５３０の第１番目のレコードの単語が処理対象とされる（Ｓ５）。
【００８４】
更に、この処理対象とされた単語が、単語抽出部５５によって、関連付けテーブル記憶装置５１に格納されている関連付けテーブル５１０に登録されている単語と一致しているかが調べられる（Ｓ６）。
【００８５】
一致している場合（Ｓ７：Ｙｅｓ）には、単語抽出部５５によって、電子新聞関連情報管理データ６３の空きレコードが探索される（Ｓ８）。そして、該当する単語が、関連付けテーブル５１０の第ｋレコードの単語と一致し、電子新聞関連情報管理データ６３の第ｊレコードが空レコードであれば、関連付けテーブル５１０の第ｋレコードの単語識別番号５１ｋＩＤが、電子新聞関連情報管理データ６３の第ｊレコードの単語識別番号６３ｊＩＤとされる。また、関連付けテーブル５１０の第ｋレコードの単語名５１ｋＴＮが、電子新聞関連情報管理データ６３の第ｊレコードの単語名６３ｊＴＮとされる。更に、関連付けテーブル５１０の第ｋレコードの単語分類５１ｋＢＲが、電子新聞関連情報管理データ６３の第ｊレコードの単語分類６３ｊＢＲとされる。更に、関連付けテーブル５１０の第ｋレコードの関連情報１の内容５１ｋＲＦ１ＣＮが、電子新聞関連情報管理データ６３の第ｊレコードの関連情報１の内容６３ｊＲＦ１ＣＮとされる。更にまた、関連付けテーブル５１０の第ｋレコードの関連情報２の内容５１ｋＲＦ２ＣＮが、電子新聞関連情報管理データ６３の第ｊレコードの関連情報２の内容６３ｊＲＦ２ＣＮとされる（Ｓ９）。
【００８６】
次に、座標値算出部５６によって、処理対象とされている単語の、電子紙面データ６１における配置領域の始点座標（ＸＳ，ＹＳ）及び終点座標（ＸＥ，ＹＥ）が計算され、計算結果が、単語抽出部５５からの抽出結果とともに格納場所把握部５７に出力される（Ｓ１０）。計算方法の詳細を、図１４を用いて説明する。
【００８７】
図１４に示すように、「ペイオフ」という単語が掲載されており、この単語の先頭文字位置が（Ｘ１，Ｙ１）、末尾文字位置が（Ｘ２，Ｙ２）である場合、単語領域対角線始点座標（ＸＳ，ＹＳ）及び終点座標（ＸＥ，ＹＥ）は、文字サイズの横方向寸法ａ及び縦方向寸法ｂを用いてそれぞれ以下のように表される。  
ＸＳ＝Ｘ１−ａ／２  
ＹＳ＝Ｙ１  
ＸＥ＝Ｘ２＋ａ／２  
ＹＥ＝Ｙ２＋ｂ  
そして、このように計算された単語領域対角線始点座標（ＸＳ，ＹＳ）が、電子新聞関連情報管理データ６３の第ｊレコードの単語領域の始点座標６３ｊＺＳ１、終点座標（ＸＥ，ＹＥ）が、終点座標６４ｊＺＥ１とされる。
【００８８】
なお、図１４では、説明を簡単にするために、１つの単語領域が１つの矩形領域を形成しているものとして説明している。しかしながら、単語が行またがりにレイアウトされたような単語領域の場合であっても、複数の矩形領域に分割することによって、同様に始点座標（ＸＳ，ＹＳ）及び終点座標（ＸＥ，ＹＥ）が計算される。
【００８９】
次に、格納場所把握部５７によって、関連付けテーブル記憶装置５１に格納されている関連付けテーブル５１０が読み出され、処理対象とされている単語ｋについて関連付けられている実体データの格納場所が、関連付けテーブル５１０から把握され、把握結果が、座標値算出部５６からの算出結果とともに実体データ取得部５８に出力される。そして、実体データ取得部５８では、出力された格納場所に従って、単語ｋの関連情報１の関連情報実体データ格納アドレス５１ｋＲＦ１ＬＫから、関連情報実体データ５４ｋ１が取得され、電子新聞関連情報実体データ６２ｊ１として電子新聞関連情報実体データファイル６２に格納される。更に、その格納アドレスが、電子新聞関連情報管理データ６３の第ｊレコードの関連情報１の関連情報実体格納アドレス６３ｊＲＦ１ＬＫに書き込まれる。同様に、単語ｋの関連情報２の関連情報実体データ格納アドレス５１ｋＲＦ２ＬＫから、関連情報実体データ５４ｋ２が取得され、電子新聞関連情報実体データ６２ｊ２として電子新聞関連情報実体データファイル６２に格納される。更に、その格納アドレスが、電子新聞関連情報管理データ６３の第ｊレコードの関連情報１の関連情報実体格納アドレス６３ｊＲＦ２ＬＫに書き込まれる（Ｓ１１）。
【００９０】
そして、単語リスト５３０の全ての単語について処理がなされ（Ｓ１２：Ｙｅｓ）、かつ電子紙面データ６１の全ての行について処理された場合（Ｓ１４：Ｙｅｓ）には、処理を終了する（Ｅｎｄ）。一方、単語リスト５３０の全ての単語について処理がなされたものの（Ｓ１２：Ｙｅｓ）、未処理の行が電子紙面データ６１内にある場合（Ｓ１４：Ｎｏ）には、電子紙面データ６１の次の行が処理対象とされ、ステップＳ３の処理に移行する（Ｓ１５）。
【００９１】
また、ステップＳ１２において、単語リスト５３０内の単語のうち、未処理の単語がある場合（Ｓ１２：Ｎｏ）には、単語リスト５３０の次の単語が処理対象とされ、ステップＳ６の処理に移行する（Ｓ１３）。
【００９２】
また、ステップＳ７において、一致していない場合（Ｓ７：Ｎｏ）には、ステップＳ１２の処理に移行する。
【００９３】
上述したように、本実施の形態に係る電子新聞システム１０においては、上記のような作用により、電子紙面データ６１から単語を抽出し、抽出した単語の関連情報の実体データを取得して電子新聞関連情報実体データファイル６２に格納するとともに、電子新聞関連情報実体データファイル６２に格納された実体データの格納アドレスの、対応する単語との関連付けを、電子新聞関連情報管理データ６３として格納することができる。
【００９４】
このように、電子新聞紙面に記載された単語に関する関連情報を自動的に取得することができる。これによって、オペレータの負担を低減するのみならず、オペレータに依存せず、一定の精度で関連情報を収集することが可能となる。
【００９５】
（第２の実施の形態）
本発明の第２の実施の形態に係る電子新聞システムについて説明する。
【００９６】
第２の実施の形態に係る電子新聞システムは、第１の実施の形態に係る電子新聞システムの変形例であるので、ここでは、第１の実施の形態と異なる点のみについて説明する。
【００９７】
すなわち、本実施の形態に係る電子新聞システムは、図１５の機能ブロック図に示すように、図２に示す第１の実施の形態に係る電子新聞編集サーバ１２に、文字フォントデータを格納している文字フォントデータ記憶装置７０を付加した構成をしている。この文字フォントデータ記憶装置７０は、ハードディスク等のハードウェアからなる。
【００９８】
そして、実体データ取得部５８は、関連情報実体データ記憶装置５４から取得した実体データがテキスト情報である場合、このテキストの文字フォントを文字フォントデータ記憶装置７０から取得することによってこのテキスト情報のイメージ情報を作成し、取得した実体データの代わりに、作成したイメージ情報を電子新聞関連情報実体データファイル６２に書き込む。
【００９９】
次に、以上のように構成した本実施の形態に係る電子新聞システムの動作について図１６乃至図２０のフローチャートを用いて説明する。
【０１００】
なお、図１６乃至図２０のフローチャートのうち、ステップＳ１からステップＳ１０の処理は、図１０乃至図１３におけるステップＳ１からステップＳ１０の処理と同じである。したがって、ここでは図１０乃至１３のフローチャートとは異なるステップＳ１０より後のステップについて説明する。
【０１０１】
すなわち、本実施の形態に係る電子新聞システムでは、ステップＳ１０の処理が行われた後、格納場所把握部５７によって、関連付けテーブル５１０の第ｋレコードの単語ｋの関連情報１の関連情報実体データ格納アドレス５１ｋＲＦ１ＬＫが把握される。そして、実体データ取得部５８によって、この把握された関連情報実体データ格納アドレス５１ｋＲＦ１ＬＫから、関連情報実体データ５４ｋ１が取り出される（Ｓ２１）。
【０１０２】
次に、実体データ取得部５８では、ステップＳ２１で取り出された関連情報実体データがテキストである場合（Ｓ２２：Ｙｅｓ）には、所定の体裁に基づき、関連情報のテキストがレイアウトされ、テキスト内の文字の文字フォントが、文字フォントデータ記憶装置７０から読み出され、レイアウト結果のドット展開イメージが作成される（Ｓ２３）。なお、所定の体裁とは、１行に何文字配置されるかを表す字詰の他に、字間、行間値、段間値、行数、段数、文字サイズ、フォント等の情報を含む。
【０１０３】
更に、実体データ取得部５８では、ステップＳ２３で作成された展開イメージの画像が、電子新聞関連情報実体データ６２ｊ１として電子新聞関連情報実体データファイル６２に格納され、この格納アドレスが、電子新聞関連情報管理データ６３の第ｊレコードの関連情報１の関連情報実体格納アドレス６３ｊＲＦ１ＬＫに書き込まれる（Ｓ２４）。
【０１０４】
次に、格納場所把握部５７によって、関連付けテーブル５１０の第ｋレコードの単語ｋの関連情報２の関連情報実体データ格納アドレス５１ｋＲＦ２ＬＫが把握される。そして、実体データ取得部５８によって、この把握された関連情報実体データ格納アドレス５１ｋＲＦ２ＬＫから、関連情報実体データ５４ｋ２が取り出される（Ｓ２５）。
【０１０５】
次に、実体データ取得部５８では、ステップＳ２５で取り出された関連情報実体データがテキストである場合（Ｓ２６：Ｙｅｓ）には、所定の体裁に基づき、関連情報のテキストがレイアウトされ、テキスト内の文字の文字フォントが、文字フォントデータ記憶装置７０から読み出され、レイアウト結果のドット展開イメージが作成される（Ｓ２７）。
【０１０６】
更に、実体データ取得部５８では、ステップＳ２７で作成された展開イメージの画像が、電子新聞関連情報実体データ６２ｊ２として電子新聞関連情報実体データファイル６２として格納され、この格納アドレスが、電子新聞関連情報管理データ６３の第ｊレコードの関連情報２の関連情報実体格納アドレス６３ｊＲＦ２ＬＫに書き込まれる（Ｓ２８）。
【０１０７】
そして、抽出単語リスト記憶装置５３に格納された単語リストが座標値算出部５６によって参照され、この単語リストに含まれている単語のうち、未処理の単語があると判定された場合（Ｓ２９：Ｎｏ）には、この単語リスト５３０に含まれている単語のうち、次の単語が処理対象とされ（Ｓ３０）、ステップＳ６の処理に戻る。
【０１０８】
一方、ステップＳ２９において、単語リスト５３０に含まれている全ての単語が処理されたものと判定された場合（Ｓ２９：Ｙｅｓ）であり、かつ電子紙面データ６１の全ての行が処理された場合（Ｓ３１：Ｙｅｓ）には、一連の処理を終了（Ｅｎｄ）する。一方、ステップＳ３１において、電子紙面データ６１内に未処理の行がある場合（Ｓ３１：Ｎｏ）には、電子紙面データ６１の次の行が処理対象とされ（Ｓ３２）、ステップＳ３の処理に移行する。
【０１０９】
一方、ステップＳ２１で取り出された関連情報実体データがテキストではない場合（Ｓ２２：Ｎｏ）、ステップＳ２５で取り出された関連情報実体データがテキストではない場合（Ｓ２６：Ｎｏ）には、関連付けテーブル５１０の第ｋレコードの単語ｋの関連情報２の関連情報実体データ格納アドレス５１ｋＲＦ２ＬＫから、関連情報実体データ５４ｋ２が取り出され、取り出した関連情報実体データ５４ｋ２が電子新聞関連情報実体データ６２ｊ２として格納され、この格納アドレスが、電子新聞関連情報管理データ６３の第ｊレコードの関連情報２の関連情報実体格納アドレス６３ｊＲＦ２ＬＫに書き込まれる（Ｓ３３）。その後、ステップＳ２９に移行する。
【０１１０】
また、ステップＳ７において、一致していない場合（Ｓ７：Ｎｏ）にも、ステップＳ２９に移行する。
【０１１１】
上述したように、本実施の形態に係る電子新聞システムにおいては、関連情報をテキストではなく、イメージとして格納することができるので、取り扱いを簡素化することができる。
【０１１２】
（第３の実施の形態）
本発明の第３の実施の形態に係る電子新聞システムについて説明する。
【０１１３】
第３の実施の形態に係る電子新聞システムは、第１又は第２の実施の形態に係る電子新聞システムの変形例であるので、ここでは、第１及び第２の実施の形態と異なる点のみについて説明する。
【０１１４】
すなわち、本実施の形態に係る電子新聞システムは、第１又は第２の実施の形態に係る電子新聞システムによる処理がなされた後に行う処理のための機能を備えたものであり、図２１の機能ブロック図に示すように、図２に示す第１の実施の形態に係る電子新聞編集サーバ１２に、ポインティングデバイス７２、表示制御部７３、判定部７４、及びディスプレイ７５を付加した構成をしている。あるいは、図１５に示す第２の実施の形態に係る電子新聞編集サーバ１２に、ポインティングデバイス７２、表示制御部７３、判定部７４、及びディスプレイ７５を付加した構成としても良い。
【０１１５】
ディスプレイ７５は、ＣＲＴ又はＬＣＤ等からなる。
【０１１６】
ポインティングデバイス７２は、マウスやキーボード等からなり、オペレータから操作入力を受けると、操作入力に応じた信号を表示制御部７３に出力する。
【０１１７】
表示制御部７３は、電子新聞データ記憶装置１６から電子紙面データ６１を取得して、ディスプレイ７５から表示させるとともに、ポインティングデバイス７２から出力された信号に応じて、ディスプレイ７５から、カーソルを移動させながら表示させる。例えば、ポインティングデバイス７２としてマウスが用いられた場合、オペレータがマウスを移動させると、ディスプレイ７５において、この移動方向及び移動量に応じてカーソルを移動させながら表示させる。また、ポインティングデバイス７２及び判定部７４からの指示に従って、電子新聞データ記憶装置１６から電子新聞関連情報実体データファイル６２及び電子新聞関連情報管理データ６３を取得し、ディスプレイ７５から表示させる。
【０１１８】
判定部７４は、ディスプレイ７５から表示された電子紙面データ６１のうち、単語抽出部５５によって抽出された単語の配置領域内に、カーソルが移動したか否かを、電子新聞関連情報管理データ６３に基づいて判定する。
【０１１９】
そして、判定部７４が、配置領域内にカーソルが移動したと判定した場合には、表示制御部７３は、電子新聞関連情報管理データ６３から、配置領域に配置された単語に関連付けられた実体データの、電子新聞関連情報実体データファイル６２における格納アドレスを把握し、把握した格納アドレスから実体データを取り出し、この実体データをディスプレイ７５から表示させる。
【０１２０】
次に、以上のように構成した本実施の形態に係る電子新聞システムの動作について図２２乃至図２３のフローチャートを用いて説明する。
【０１２１】
電子新聞データ記憶装置１６内の電子紙面データ６１が表示制御部７３によって取得され、ディスプレイ７５から表示されている状態で、マウスやキーボード等からなるポインティングデバイス７２に、オペレータからの操作入力が入力されると、この操作入力に応じた信号がポインティングデバイス７２から表示制御部７３に出力される。すると、表示制御部７３では、ポインティングデバイス７２から出力された信号に応じて、カーソルの指定位置が把握され、ディスプレイ７５から、カーソルがこの指定位置まで移動しながら表示される（Ｓ４１）とともに、カーソルの指定位置が、紙面内における位置座標に変換される（Ｓ４２）。
【０１２２】
次に、表示制御部７３によって、電子新聞関連情報管理データ６３が取得され、第１レコードが処理対象とされる（Ｓ４３）。そして、取得された電子新聞関連情報管理データ６３は、判定部７４に出力される。
【０１２３】
判定部７４では、ステップＳ４２で変換されたカーソルの位置座標が、ステップＳ４３で処理対象とされたレコードの始点座標及び終点座標からなる矩形領域に含まれているか否かが、電子新聞関連情報管理データ６３を用いて判定される（Ｓ４４）。
【０１２４】
そして、判定部７４によって、矩形領域内にカーソルが含まれるものと判定された場合（Ｓ４４：Ｙｅｓ）には、表示制御部７３によって、電子新聞関連情報管理データ６３から、矩形領域に配置された単語に関連付けられた関連情報１，２，・・・ｊの内容がディスプレイ７５から表示される（Ｓ４５）。
【０１２５】
オペレータがポインティングデバイス７２を操作することによって、ディスプレイ７５から表示された関連情報１，２，・・・ｊのうちの何れかが、オペレータによって選択されると（Ｓ４６）、表示制御部７３によって、電子新聞関連情報管理データ６３から、オペレータによって選択された関連情報（例えば、関連情報１）の関連情報実体データ格納アドレス６３ｊＲＦ１ＣＮが把握され、把握した格納アドレスから実体データが取り出され、ディスプレイ７５から表示される（Ｓ４７）。
【０１２６】
一方、ステップＳ４４において、判定部７４によって、矩形領域内にカーソルが含まれていないと判定された場合（Ｓ４４：Ｎｏ）であり、既に全てのレコードが処理されているのであれば（Ｓ４８：Ｙｅｓ）、処理が終了し（Ｅｎｄ）、未処理のレコードが存在するのであれば（Ｓ４８：Ｎｏ）、次のレコードが処理対象とされて（Ｓ４９）、ステップＳ４４の処理に移行する。
【０１２７】
上述したように、本実施の形態に係る電子新聞システムにおいては、オペレータが、関連情報を容易に確認することができる。
【０１２８】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【０１２９】
【図１】一般的な新聞制作システムに接続された第１の実施の形態に係る電子新聞システムの構成例を示す機能ブロック図。
【図２】第１の実施の形態に係る電子新聞編集サーバ及び電子新聞データ記憶装置の詳細構成例を示す機能ブロック図。
【図３】電子紙面データのデータ構成例を示す図。
【図４】関連付けテーブルのデータ構成例を示す図。
【図５】単語リストのデータ構成例を示す図。
【図６】電子新聞関連情報実体データファイルのデータ構成例を示す図。
【図７】電子新聞関連情報管理データのデータ構成例を示す図。
【図８】実体データを格納した関連情報実体データ記憶装置のデータ構成例を示す図。
【図９】単語の分類と、関連情報の具体例との関係例を示す図。
【図１０】第１の実施の形態に係る電子新聞システムの動作を示すフローチャート（その１）。
【図１１】第１の実施の形態に係る電子新聞システムの動作を示すフローチャート（その２）。
【図１２】第１の実施の形態に係る電子新聞システムの動作を示すフローチャート（その３）。
【図１３】第１の実施の形態に係る電子新聞システムの動作を示すフローチャート（その４）。
【図１４】単語の始点座標及び終点座標の計算方法の一例を説明するための図。
【図１５】第２の実施の形態に係る電子新聞編集サーバ及び電子新聞データ記憶装置の詳細構成例を示す機能ブロック図。
【図１６】第２の実施の形態に係る電子新聞システムの動作を示すフローチャート（その１）。
【図１７】第２の実施の形態に係る電子新聞システムの動作を示すフローチャート（その２）。
【図１８】第２の実施の形態に係る電子新聞システムの動作を示すフローチャート（その３）。
【図１９】第２の実施の形態に係る電子新聞システムの動作を示すフローチャート（その４）。
【図２０】第２の実施の形態に係る電子新聞システムの動作を示すフローチャート（その５）。
【図２１】第３の実施の形態に係る電子新聞編集サーバ及び電子新聞データ記憶装置の詳細構成例を示す機能ブロック図。
【図２２】第３の実施の形態に係る電子新聞システムの動作を示すフローチャート（その１）。
【図２３】第３の実施の形態に係る電子新聞システムの動作を示すフローチャート（その２）。
【符号の説明】
【０１３０】
１０…電子新聞システム、１２…電子新聞編集サーバ、１４…電子新聞編集端末、１６…電子新聞データ記憶装置、１８…電子新聞閲覧サーバ、２０…電子新聞閲覧端末、２２…閲覧用電子新聞データ記憶装置、３０…新聞制作システム、３１…素材受信端末、３２…記者端末、３３…素材管理サーバ、３４…素材データ記憶装置、３５…素材編集端末、３６…組版編集サーバ、３７…紙面データ記憶装置、３８…組版端末、３９…出力サーバ、４０…プリンタ／プロッタ、５０…電子紙面データ転送部、５１…テーブル記憶装置、５２…単語抽出用辞書データベース記憶装置、５３…抽出単語リスト記憶装置、５４…関連情報実体データ記憶装置、５５…単語抽出部、５６…座標値算出部、５７…格納場所把握部、５８…実体データ取得部、５９…データ作成部、６１…電子紙面データ、６２…電子新聞関連情報実体データファイル、６３…電子新聞関連情報管理データ、７０…文字フォントデータ記憶装置、７１…紙面データ、７２…ポインティングデバイス、７３…表示制御部、７４…判定部、７５…ディスプレイ、５１０…関連付けテーブル、５３０…単語リスト
【図１】
2007299026.tif 000003
【図２】
2007299026.tif 000004
【図３】
2007299026.tif 000005
【図４】
2007299026.tif 000006
【図５】
2007299026.tif 000007
【図６】
2007299026.tif 000008
【図７】
2007299026.tif 000009
【図８】
2007299026.tif 000010
【図９】
2007299026.tif 000011
【図１０】
2007299026.tif 000012
【図１１】
2007299026.tif 000013
【図１２】
2007299026.tif 000014
【図１３】
2007299026.tif 000015
【図１４】
2007299026.tif 000016
【図１５】
2007299026.tif 000017
【図１６】
2007299026.tif 000018
【図１７】
2007299026.tif 000019
【図１８】
2007299026.tif 000020
【図１９】
2007299026.tif 000021
【図２０】
2007299026.tif 000022
【図２１】
2007299026.tif 000023
【図２２】
2007299026.tif 000024
【図２３】
2007299026.tif 000025